(57)【要約】      （修正有）【課題】喫煙用のライターの持ち込みが禁止されている病院や空港等の公共施設の喫煙コーナーの柱に固着して備えつけた喫煙用のライターを提供する。【解決手段】建物内の喫煙コーナーの柱などに取りつけられ、煙草を挿入して着火するための箱体２からなる喫煙用のライター１は箱体２に着火用のセラミックヒーターとタイマーからなる回路と、箱体上面６に着火用スイッチ７と着火表示ランプ８と、箱体２の正面板９に着火する紙巻き煙草１１の先端部を着火用のセラミックヒーター３に挿入当接するための挿入孔をそれぞれ有し、箱体２の底面板を灰受け皿に形成している固定式の喫煙専用のライター１。【選択図】図１
0003113099.tif 000002
【実用新案登録請求の範囲】
【請求項１】
建物内の喫煙コーナー若しくは喫煙室の柱あるいは壁面に取りつけられ、紙巻き煙草を挿入して着火するための箱体２からなる喫煙用のライター１であって、この箱体２からなるライター１は箱体２に着火用のセラミックヒーター３とタイマー５からなる回路を有し、箱体上面６に着火用スイッチ７と着火表示ランプ８を有し、箱体２の正面板９に着火する紙巻き煙草１１の先端部を着火用のセラミックヒーター３に挿入当接するための挿入孔１０を有し、箱体２の底面板１２を灰受け皿に形成していることを特徴とする固定式の喫煙専用のライター１。
【請求項２】
セラミックヒーター３とタイマー５からなる回路は箱体２の外部のＡＣ電源に電気コード１５により接続されていることを特徴とする請求項１に記載の固定式の喫煙専用のライター１。
【考案の詳細な説明】
【技術分野】
【０００１】
この考案は、喫煙が許されている建物内の喫煙コーナーに固定的に取りつけられる喫煙専用のライターに関し、特に、ライターの持ち込みが禁止されている病院の病棟や、空港などの喫煙コーナーに固定して設置する喫煙専用のライターに関する。
【背景技術】
【０００２】
煙草は喫煙のためにライターにより火がつけられる。このライターは一般には身だしなみ用品として衣服のポケットに入れられている。ところで、煙草から喫煙時に出される煙は、当該の喫煙者のみならずその周囲の人々にとっても健康に有害であるとして、近年は、喫煙される場所が限られるようになってきた。例えば、病院などでは、患者の病棟の多くは喫煙自体が禁じられて禁煙になっている。
【０００３】
しかし、病状によっては、例えば精神科の病棟などでは喫煙が許されている病棟もある。ところで、このような喫煙の許されている病棟であっても、どこでも喫煙が許されているものでもなく、喫煙室あるいは喫煙コーナーなどの定められた場所で喫煙することで、他人に迷惑を掛けないように定められているところが多い。しかし、このように喫煙場所が定められていても、ライターなどの発火用具は、仮にも煙草の着火以外に使用されると大変危険な事態となる恐れがあり、特に精神科の病棟では、このようなライターなどの危険用具類を個別に保持することは禁止されている。
【０００４】
さらに、近年の禁煙の風潮のみでなく、危険用具の持ち込みが禁止される場所が増えており、特に航空機には喫煙用のライターなどの危険用具は所持して搭乗することが禁止にされている。そこで、このような空港では、待合室にたとえ喫煙コーナーが付設されていても、航空機に搭乗しようとする人はライターを所持していないので、喫煙のために煙草に火をつけることはできなかった。
【０００５】
【特許文献１】特開平２００３−３４３８３２号公報
【０００６】
上記の文献のものは、最近に開発された煙草用のライターであるが、やはり持ち込みが可能で危険用具には代わりがないものであった。
【考案の開示】
【考案が解決しようとする課題】
【０００７】
この考案が解決しようとする課題は、喫煙用のライターの持ち込みが禁止されている病院や空港等の公共施設において、休憩室や待合室や面会室等に付設して喫煙コーナー等が設けられている場合、ライターを所持していない人が煙草に火をつけることができるようにするため、喫煙コーナーの付帯設備として一角の柱等に固着して使用時に煙草に着火する時間のみ発熱して着火を可能とする安全性の高い喫煙用のライターを提供することである。
【課題を解決するための手段】
【０００８】
上記の課題を解決するための本考案の手段では、請求項１の考案は、建物内の喫煙コーナー若しくは喫煙室の柱あるいは壁面に取りつけられ、紙巻き煙草を挿入して着火するための箱体２からなる喫煙用のライター１であって、この箱体２からなるライター１は箱体２に着火用のセラミックヒーター３とタイマー５からなる回路を有し、箱体上面６に着火用スイッチ７と着火表示ランプ８を有し、箱体２の正面板９に着火する紙巻き煙草１１の先端部を着火用のセラミックヒーター３に挿入当接するための挿入孔１０を有し、箱体２の底面板１２を灰受け皿に形成していることを特徴とする固定式の喫煙専用のライター１である。
【０００９】
請求項２の考案は、セラミックヒーター３とタイマー５からなる回路は箱体２の外部のＡＣ電源に電気コード１５により接続されていることを特徴とする請求項１の手段の固定式の喫煙専用のライター１である。
【考案の効果】
【００１０】
本考案のライターは、喫煙コーナーもしくは喫煙室の付帯設備としてその一隅の柱や壁面等に固着して設置されているので、容易に持ち出されて他の箇所では不用意に使用されることがなく、しかも、赤熱した電気ヒーターとの接触により煙草に火をつけるので、火焔がなく、極めて安全な固定式の喫煙専用のライターである。
【考案を実施するための最良の形態】
【００１１】
本考案を実施するための最良の形態を図面を参照して説明する。図１はこの考案の喫煙用のライター１の一実施の形態の斜視図を示す。図１に見られるように、ライター１は、高さ２ａが２００ｍｍ、横幅２ｂが１００ｍｍの正面板９と、上部奥行き２ｃが６０ｍｍで、正面板９において上面板２ｄから１３２ｍｍ下部の位置から３１ｍｍ下部の位置まで前面を斜面板２ｅに形成して前方に１２．５ｍｍ突出し、下部奥行き２ｆを７８ｍｍとした左右の側面板２ｇ、２ｈと、底面板１２と、高さ２ａが２００ｍｍ、横幅２ｂが１００ｍｍの背面板２ｉからなるステンレス板の箱体２に形成されている。勿論、箱体２はステンレス板に替えてスチール板に焼付塗装を施したものから形成しても良い。箱体２の左右の側面板２ｇ、２ｈの下部には、箱体２の内部で発生した熱を逃がす多数の小孔からなる放熱孔２ｊがそれぞれ設けられている。図２に箱体２の右側面図を示す。さらに箱体２の前面の斜面板２ｅには、着火のために紙巻き煙草を挿通する円径が１３ｍｍの着火用の挿入孔１０が形成されている。この箱体２の挿入孔１０の内奥には、煙草へ着火するためのライター１の主要部である電気ヒーターからなるセラミックヒーター３が配設されている。箱体上面６である上面板２ｄには、押しボタン式の着火用スイッチ７と煙草に着火可能なことを表示する着火表示ランプ８を有する。箱体２の底面板１２の一方は左右の側面板２ｇ、２ｈのいずれか一方に蝶番１３で下方に回転可能に取り付けられ、底面板１２の他方は側面板２ｇ、２ｈの残りの一方にネジで係止されて灰受け皿とされている。底面板１２の蝶番１３の側には図示しない灰留め板で貯まった灰が蝶番１３に入らないように仕切られている。
【００１２】
このライター１の箱体２は上記の正面板９と左右の側面板２ｇ、２ｈと上面板２ｄと底面板１２は一体化されて蓋体１４に形成されており、蓋体１４は背面板２ｉに被せる形で取り付け、取り外しできる。図３は、この蓋体１４を取り外した箱体２の内部の正面図で配線を省略して示している。箱体２の内部には、背面板２ｉの左右に蓋体１４の左右の側面板２ｇ、２ｈをネジ係合するための側板２ｋ、２ｌを有する。さらに箱体２の内部には、着火用の挿入孔１０と対向する位置に発熱部を配置する長さ７０ｍｍの先端側に発熱部を有する着火用のセラミックヒーター３が横方向に背面板２ｉから浮かして支持金具で配置されている。セラミックヒーター３の上部は放熱空間を約１５ｍｍ離間して下面にセラミック断熱体５ｃを配した取付板５ａを背面板２ｉに水平に取付け、この取付板５ａの上に設けた接続ソケット５ｂにタイマー５が装着されている。外部の１００ＶのＡＣ電源から箱体２内に取り入れた電気コード１５はその片線にヒューズ４を経て接続ソケット５ｂの配線に接続され、この配線に着火用スイッチ７を介してタイマー５のタイマー回路１６が接続され、このタイマー回路１６に着火表示ランプ８および用のセラミックヒーター３が配線されている。なお、図２に隠れ線の点線で示すように、背面板２ｉは後端から少し前面の位置に設けられている。
【００１３】
このライター１のタイマー回路１６を図４に示す。タイマー回路１６には切替接点Ｓ１〜Ｓ４を有し、着火用スイッチ７の押しボタンを押すとタイマー５が作動され、タイマー設定の一定時間、例えば１０秒間、だけ各切替接点Ｓ１〜Ｓ４がそれぞれの左側の黒丸の接点から右側の白丸の接点に切り替えられて回路が接続され、一定時間、１０秒間、を経過すると各切替接点Ｓ１〜Ｓ４がそれぞれの右側の白丸の接点から左側の黒丸の接点に切り替えられて回路が切断されるものとなっている。
【００１４】
この喫煙用のライター１の取付けを説明すると、ライター１は、建物内の喫煙コーナー若しくは喫煙室の柱あるいは壁面の適宜高さ位置に図示しない箱体２の背面板２ｉの内側からネジで取りつけ、次いで、蓋体１４を背面板２ｉに被せて両者をネジで係合する。さらに箱体２から伸びている電気コード１５を室内のコンセントに接続してライター１の取付けを完了する。
【００１５】
煙草を喫煙したい人は、このライター１の取り付けられた喫煙コーナーに来て、ライター１の着火用スイッチ７を押し、着火表示ランプ８の点灯を確認して煙草１１の先端を挿入孔１０に挿入して、箱体２の中で約１０秒間発熱したセラミックヒーター３に押し当てて着火する。着火用スイッチ７を押して１０秒経過すると自動的にセラミックヒーター３は発熱が消える。着火した煙草１１を抜き出して喫煙するものとする。着火を繰り返していると箱体２の底面板１２には着火時の灰が貯まるので、この灰を取り除くために、底面板１２の一方の側面板２ｇの側のネジを下面から外して他方の側面板２ｈの側の蝶番１３で底面板１２を下方に回転して灰を除去する。
【００１６】
本考案のライター１は、喫煙コーナーや喫煙室の柱や壁に取り付けられているので、自由に持ち出されることなく、しかも、煙草の着火のために一切炎を出すことなく、約１０秒と自由に設定した一定の時間だけ発熱するので、安全性に優れている。
【図面の簡単な説明】
【００１７】
【図１】本考案の喫煙用のライター１の１実施の形態の斜視図を示す。
【図２】ライター１の右側面図である。
【図３】蓋体１４を取り外した箱体２の内部の正面図である。
【図４】ライター１の回路の配線図である。
【符号の説明】
【００１８】
１  ライター
２  箱体
３  セラミックヒーター
４  ヒューズ
５  タイマー
６  箱体上面
７  着火用スイッチ
８  着火表示ランプ
９  正面板
１０  挿入孔
１１  煙草
１２  底面板
１３  蝶番
１４  蓋体
１５  電気コード
１６  タイマー回路
【図１】
0003113099.tif 000003
【図２】
0003113099.tif 000004
【図３】
0003113099.tif 000005
【図４】
0003113099.tif 000006